(57)【特許請求の範囲】
【請求項１】
被読取体に光りを照射する光照射手段と、
この光照射手段から照射されて前記被読取体から反射される光を所定方向に導く光学系と、
この光学系により導かれる光を結像レンズを介して受光素子に結像させることにより前記被読取体の情報を読み取る読取手段と、
前記結像レンズを取り付ける固定基板と、
この固定基板に固定的に取り付けられた調整ネジと、
前記調整ネジが挿通するための挿通孔を持ち、前記受光素子を保持する保持体と、
前記調整ネジに螺着されて前記挿通孔内に挿入され、前記固定基板に対向する側の端部にフランジ部を形成し、反フランジ部側の端部を前記挿通孔から外部に突出させ、回転されることにより前記保持体の位置を調整する第１のナットと、
この第１のナットの反フランジ部側に螺着され、前記フランジ部とにより前記保持板を挟圧保持する第２のナットと、
を具備することを特徴とする情報読取装置。
【請求項２】
前記調整ネジに螺着され、前記第１のナットを固定する第３のナットを備えたことを特徴とする請求項１記載の情報読取装置。
【請求項３】
前記保持体は調整ネジに取り付けられる基板部と、この基板部に接合され前記受光素子を保持する保持部とから構成され、前記基板部と保持部の何れか一方には球面状の凹部が形成され、他方には前記凹部に嵌合する球面状の凸部が突設されたことを特徴する請求項１記載の情報読取装置。
【請求項４】
前記受光素子は取付基板を介して前記保持体に保持されることを特徴とする請求項１記載の情報読取装置。
【発明の詳細な説明】
【０００１】
【発明の属する技術分野】
本発明は、例えば、帳票移動型の光学的文字読取装置、或いは、イメージ読取装置として適用される情報読取装置に関する。
【０００２】
【従来の技術】
この種の情報読取装置は、結像レンズ、受光素子としてのＣＣＤセンサから構成される縮小光学系を有し、移動される帳票にランプから光りを照射し、この照射により、帳票から反射される光を結像レンズを介してＣＣＤセンサに受光させることにより、帳票に記録された文字を読み取るようになっている。
【０００３】
ところで、情報を正確に読み取るためには、ＣＣＤセンサの位置を正しく調整する必要がある。即ち、ＣＣＤセサンの位置をＸ，Ｙ，Ｚ軸方向及びその軸回りに調整する必要がある。
【０００４】
従来においては、結像レンズを取り付けるレンズ固定板に調整ネジを介して保持板を取り付け、この保持板にＣＣＤセンサの取付基板を保持させている。そして、調整ネジに保持板を挟圧保持する第１及び第２のナットを取り付け、これら第１及び第２のナットを回転させることにより保持板を移動させてＣＣＤセンサの位置を調整している。
【０００５】
【発明が解決しようとする課題】
しかしながら、従来においては、第１及び第２のナットの一方がレンズ固定板と保持板との間に配置されていたため、ＣＣＤセンサの位置を調整するためには、レンズ固定板と保持板との間の狭い空間内に手又は工具を入れてナットを回転させなければならず、作業効率が低下するという問題があった。
【０００６】
また、倍率の小さい結像レンズを用いた光学的文字読取装置または光学的イメージ読取装置では、レンズ固定板と保持板との間の距離が短く、この場合にはさらに作業性が低下してしまうという問題があった。
【０００７】
本発明は上記事情に着目してなされたもので、受光素子の位置調整作業を結像レンズの固定基板と受光素子の保持体との間の狭い空間部に手等を挿入することなく、簡単に行なうことができるようにした情報読取装置を提供することを目的とする。
【０００８】
【課題を解決するための手段】
本発明は上記課題を解決するため、請求項１記載のものは、被読取体に光りを照射する光照射手段と、この光照射手段から照射されて前記被読取体から反射される光を所定方向に導く光学系と、この光学系により導かれる光を結像レンズを介して受光素子に結像させることにより前記被読取体の情報を読み取る読取手段と、前記結像レンズを取り付ける固定基板と、この固定基板に固定的に取り付けられた調整ネジと、前記調整ネジが挿通するための挿通孔を持ち、前記受光素子を保持する保持体と、前記調整ネジに螺着されて前記挿通孔内に挿入され、前記固定基板に対向する側の端部にフランジ部を形成し、反フランジ部側の端部を前記挿通孔から外部に突出させ、回転されることにより前記保持体の位置を調整する第１のナットと、この第１のナットの反フランジ部側に螺着され、前記フランジ部とにより前記保持板を挟圧保持する第２のナットとを具備することを特徴とする。
【０００９】
【発明の実施の形態】
以下、本発明を図面に示す実施の形態を参照して詳細に説明する。
【００１０】
図１は情報読取装置全体を概略的に示すもので、図中１は装置本体である。装置本体１の前面下部側には、被読取体としての用紙Ｐを投入させる投入部２が設けられている。装置本体１内には投入部２に投入された用紙Ｐを供給する供給ローラ３が設けられている。この供給ローラ３により取出された用紙Ｐは搬送機構４により搬送される。
【００１１】
搬送機構４は、例えば下部側の水平搬送部４ａと、垂直搬送部４ｂと、上部側の水平搬送部４ｃとにより構成されている。各搬送部４ａ〜４ｃには用紙Ｐを挟持搬送する搬送ローラ対５…が複数配設されている。
【００１２】
上部側の水平搬送部４ｃの搬出側には、切替ゲート７及び上下部の排紙ローラ対８ａ，８ｂが配設されている。これら排紙ローラ対８ａ，８ｂの排紙側には、上下の排紙トレー９ａ，９ｂが配設されている。上下の排紙トレー９ａ，９ｂは装置本体１の前面から前方に突出されている。
【００１３】
一方、装置本体１内の中央部には、画像情報の読取手段としての読取装置１１が設けられている。この読取装置１１は光源１２と、この光源１２から照射されて用紙Ｐから反射する光を所定の光路に沿って導く反射ミラー１３ａ，１３ｂを備える光学系１３と、この光学系１３によって導かれる光を結像させる結像レンズ１４と、この結像レンズ１４によって結像された像を受光する受光素子としてのＣＣＤセンサ１５とを備える。
【００１４】
また、装置本体１内の背面側には制御部１６が設けられ、内底部には電源ボックス１７が設けられている。
【００１５】
次に、帳票文字の読取動作について説明する。
【００１６】
投入部２に投入された用紙Ｐは供給ローラ３によって取出され、下部側の水平搬送部４ａによって搬送される。この搬送される用紙Ｐには、読取部の光源１２によって光が照射され、用紙Ｐからの反射光は反射ミラー１３ａ，１３ｂに反射されて所定方向に導かれ結像レンズ１４を介してＣＣＤセンサ１５に結像され受光される。このＣＣＤセンサ１５の受光により画像イメージが読み取られる。この画像イメージが読み取られたのち文字認識処理が行われ、一方、用紙Ｐは垂直搬送部４ｂ及び上部側の水平搬送部４ｃに沿って搬送される。しかるのち、認識結果に応じて切替ゲート７が動作され、用紙Ｐは排紙トレイ９ａ、或いは９ｂに区分して排出される。
【００１７】
図２乃至図４は、上記した結像レンズ１４及びＣＣＤセンサ１５の取付構造を示すものである。
【００１８】
結像レンズ１４はレンズ枠１９を介してレンズ固定板金２０に固定されている。レンズ固定板金２０には複数本（３箇所）の調整ネジ２１ａ〜２１ｃが固定的に取り付けられている。ＣＣＤセンサ１５は取付基板２３に取り付けられ、この取付基板２３は固定ネジ２４…により保持体としての保持板２５に固定されて保持されている。
【００１９】
保持板２５は第１及び第２のナット２７ａ〜２７ｃ，２８ａ〜２８ｃを介して調整ネジ２１ａ〜２１ｃに取り付けられ、レンズ固定板金２０に離間対向されている。
【００２０】
図５は保持板２５の取付構造（３箇所とも同じ形状）を拡大して示すものである。
【００２１】
第１のナット２７ａ〜２７ｃは調整ネジ２１ａ〜２１ｃに螺着され、保持板２５に穿設された挿通孔２５ａ〜２５ｃに遊挿状態で挿通され、レンズ固定板金２０に対向する側の端部にはフランジ部２７ａ′〜２７ｃ′が一体に形成されている。第１のナット２７ａ〜２７ｃの反フランジ部側の端部は挿通孔２５ａ〜２５ｃから外部に突出されている。この第１のナット２７ａ〜２７ｃの反フランジ部側には第２のナット２８ａ〜２８ｃが螺着されている。この第２のナット２８ａ〜２８ｃと第１のナット２７ａ〜２７ｃのフランジ部２７ａ′〜２７ｃ′とにより保持板２５が挟圧保持されている。
【００２２】
また、調整ネジ２１ａ〜２１ｃには第３のナット２９ａ〜２９ｃが螺着され、この第３のナット２９ａ〜２９ｃの螺着により第１のナット２７ａ〜２７ｃが調整ネジ２１ａ〜２１ｃに固定される。
【００２３】
次に、ＣＣＤセンサ１５の位置決め方法（３箇所とも共通）について説明する。
【００２４】
まず、レンズ固定板金２０に固定された調整ネジ２１ａ〜２１ｃに第１のナット２７ａ〜２７ｃをそのフランジ部２７ａ′〜２７ｃ′をレンズ固定板金２０に向けて螺着する。ついで、保持板２５にＣＣＤセンサの取付基板２３を固定ネジ２４…で固定したのち、この保持板２５の挿通孔２５ａ〜２５ｃ内に第１のナット２７ａ〜２７ｃを挿入させて保持板２５を調整ネジ２１ａ〜２１ｃに取り付ける。しかるのち、第１のナット２７ａ〜２７ｃにそれぞれ第２のナット２８ａ〜２８ｃを螺着し、この第２のナット２８ａ〜２８ｃと第１のナット２７ａ〜２７ｃのフランジ部２７ａ′〜２７ｃ′とにより保持板２５を緩く挟圧保持して組み立てを終える。
【００２５】
このように組み立てたのち、光源１２を点灯させて光りを結像レンズ１４を介してＣＣＤセンサ１５に受光させたのち、ピントが合うように、第１のナット２７ａ〜２７ｃを回転させて保持板２５をＺ方向に移動させ、また、このとき、保持板２５をＸ軸及びＹ軸方向にも移動させ、さらに、軸回り方向にも回動させてＣＣＤセンサ１５の位置決めを行なう。この位置決めによりＣＣＤセンサ１５が所望する位置に配置されたら、第２のナット２８ａ〜２８ｃを締め込んで、この第２のナット２８ａ〜２８ｃと第１のナット２７のフランジ部２７ａ′〜２７ｃ′とにより保持板２５を強固に挟圧保持する。こののち、調整ネジ２１ａ〜２１ｃに第３のナット２９ａ〜２９ｃを螺着させて第１のナット２７ａ〜２７ｃを調整ネジ２４ａ〜２４ｃに固定しＣＣＤセンサ１５の位置決めを終了する。
【００２６】
上記したように、第１のナット２７ａ〜２７ｃのレンズ固定板金２０に対向する側の端部にフランジ部２７ａ′〜２７ｃ′を一体に形成し、反フランジ部側の端部を保持板２５の挿通孔２５ａ〜２５ｃから外部側に突出させるため、第１のナット２７ａ〜２７ｃを保持板２５の外部側から回転操作してＣＣＤセンサ１５の位置決めを行なうことができる。
【００２７】
従って、従来のようにレンズ固定板金２０と保持板２５との間の狭い空間内に手を挿入して第１のナット２７ａ〜２７ｃを回転させるといった作業が不要となり、調整作業性を著しく向上できる。
【００２８】
なお、上記した実施の形態では、第１のナット２７ａ〜２７ｃを第３のナット２９ａ〜２９ｃにより固定したが、これに限られることなく、図６に示すように、第１のナット２７ａ〜２７ｃをロー付け、或いは、ハンダ付け３０等により固定するようにしても良い。
【００２９】
また、図７は保持体の他の実施例を示す断面図である。
【００３０】
この実施例における保持体３１は、調整ネジ２１ａ〜２１ｃに取り付けられる基板部３２と、この基板部３２に接合される保持部３３とからなり、この保持部３３に固定ネジ３５によりＣＣＤ取付基板２３が固定される。
【００３１】
基板部３２の中央部には球面状の凹部３２ａが形成され、保持部３３の中央部には球面状をなす凸部３３ａが形成されている。基板部３２の凹部３２ａに保持部３３の凸部３３ａが嵌合され、保持部３３は固定ネジ３４により基板部３２に固定されている。
【００３２】
この実施例によれば、ＣＣＤセンサ１５の取付基板２３のＺ軸回りの回転が容易になり、ＣＣＤセンサ１５の位置調整がより一層容易になる。
【００３３】
なお、図８に示すように、保持体３１の基板部３２の中央部に球面状の凸部３２ｂを突設し、保持部３３の中央部に球面状をなす凹部３３ｂを形成し、基板部３２の凸部３２ｂを保持部３３の凹部３３ｂに嵌合させようにしても良い。
【００３４】
【発明の効果】
本発明は以上説明したように、調整ネジに螺着される第１のナットのレンズ固定基板に対向する側の端部にフランジ部を一体に形成し、反フランジ部側の端部を保持体の挿通孔から外部に突出させるため、第１のナットを保持板の外部側から回転操作してＣＣＤセンサの位置決めを行なうことができる。
【００３５】
従って、従来のようにレンズ固定基板と保持体との間の狭い空間部内に手を挿入するといったことなく調整作業を行なうことができ、作業効率を向上できるという効果を奏する。
【図面の簡単な説明】
【図１】本発明の一実施の形態である情報読取装置を示す概略的構成図。
【図２】図１の情報読取装置に備えられる結像レンズ及びＣＣＤセンサの取付構造を示す断面図。
【図３】ＣＣＤセンサの取付構造を示す断面図。
【図４】図３のＣＣＤセンサの取付構造を矢印Ｚ方向から見た状態を示す図。
【図５】保持体の取付構造を拡大して示す断面図。
【図６】第１のナットの他の固定方法を示す断面図。
【図７】ＣＣＤセンサの取付基板を保持する保持体の他の実施例を示す断面図。
【図８】ＣＣＤセンサの取付基板を保持する保持体のさらに他の実施例を示す断面図。
【符号の説明】
Ｐ…被読取体（用紙）、１１…読取装置（読取手段）、１２…光源（光照射手段）、１３…光学系、１４…結像レンズ、１５…ＣＣＤセンサ（受光素子）、２０…レンズ固定板金（固定基板）、２１ａ〜２１ｃ…調整ネジ、２３…取付基板、２５ａ〜２５ｃ…挿通孔、２５，３１…保持体（保持板）、２７ａ′〜２７ｃ′…フランジ部、２７ａ〜２７ｃ…第１のナット、２８ａ〜２８ｃ…第２のナット。
【図１】
0003609775.tif 000002
【図２】
0003609775.tif 000003
【図３】
0003609775.tif 000004
【図４】
0003609775.tif 000005
【図５】
0003609775.tif 000006
【図６】
0003609775.tif 000007
【図７】
0003609775.tif 000008
【図８】
0003609775.tif 000009